(57)【要約】【課題】使い勝手を変えずに、種々の模様などを付すことが可能な抽出用バッグを提供すること。【解決手段】抽出用バッグ（１）は、被抽出材料を収容する透水性の袋本体（１０）と、袋本体の外表面に貼り付けられた引っ掛け部材（２０）とを備える。引っ掛け部材は、飲料容器に引っ掛けられるものであり、袋本体の外表面に貼り付けられた貼り付け部（２１）と、袋本体に貼り付けられておらず、貼り付け部から連続して立ち上がり可能に形成された掛止部（２２）とを含み、引っ掛け部材の外表面は、文字・図柄模様が施された表示部材（３０）により覆われている。【選択図】図１
2019069098.tif 000002
【特許請求の範囲】
【請求項１】
被抽出材料を収容する透水性の袋本体と、前記袋本体の外表面に貼り付けられた引っ掛け部材とを備える抽出用バッグであって、
前記引っ掛け部材は、飲料容器に引っ掛けられるものであり、前記袋本体の外表面に貼り付けられた貼り付け部と、前記袋本体に貼り付けられておらず、前記貼り付け部から連続して立ち上がり可能に形成された掛止部とを含み、
前記引っ掛け部材の外表面は、文字・図柄模様が施された表示部材により覆われている、抽出用バッグ。
【請求項２】
前記表示部材は、前記引っ掛け部材の下端部から下方に向かって延出しており、
前記引っ掛け部材と前記表示部材の境界部には、前記表示部材を前記引っ掛け部材に向かって折り曲げ可能な折り曲げ部が形成されている、請求項１に記載の抽出用バッグ。
【請求項３】
前記引っ掛け部材の上方位置には、切込み部が設けられ、
前記表示部材の下方位置には、下方に向かって突出する突出部が設けられ、
前記突出部は、前記表示部材を前記折り曲げ部で折り曲げた状態において、前記切込み部に差し込まれる、請求項２に記載の抽出用バッグ。
【請求項４】
前記引っ掛け部材の外縁に沿って前記袋本体の外表面に貼り付けられる補助部材をさらに備え、
前記補助部材は、前記袋本体の上辺に沿う上辺部を含み、
前記上辺部は、文字・図柄模様を付すことが可能な幅を有する、請求項１〜３のいずれかに記載の抽出用バッグ。
【発明の詳細な説明】
【技術分野】
【０００１】
本発明は、飲料容器の縁に引っ掛けて、お茶、コーヒーなどの飲料を抽出する抽出用バッグに関する。
【背景技術】
【０００２】
従来から、フィルター本体に掛止片が貼り付けられ、掛止片を飲料容器の縁に引っ掛けて飲料を抽出する抽出用バッグが知られている。このような抽出用バッグに、文字などの種々の表示を施したものとして、たとえば、特許文献１，２が知られている。
【０００３】
特開２０１２−１８８１３４号公報（特許文献１）には、コップに掛止させる掛止片の上端部に、上方に向かって延出する延出部が設けられ、延出部には、種々の表示を施すことが可能であることが開示されている。
【０００４】
また、特開平０７−３０３５６７号公報（特許文献２）には、フィルターの開口を取り囲む支持脚片の上方に、上方に向かって突出する蓋板を設け、その蓋板に宣伝用の文字やキャラクター等の表示を施した漉し器が開示されている。
【先行技術文献】
【特許文献】
【０００５】
【特許文献１】特開２０１２−１８８１３４号公報
【特許文献２】特開平０７−３０３５６７号公報
【発明の概要】
【発明が解決しようとする課題】
【０００６】
特許文献１に開示されている抽出用バッグでは、延出部を設けた分だけ掛止片が下方に貼り付けられることになるため、抽出用バッグをコップ上に載置した場合に不安定になる可能性がある。また、特許文献２に開示されている漉し器では、表示が施される蓋板が支持脚から上方に向かって突出しているため、お湯を入れる場合に、蓋板が邪魔になる場合がある。
【０００７】
本発明は、上記のような課題を解決するためになされたものであって、その目的は、使い勝手を変えずに、種々の模様などを付すことが可能な抽出用バッグを提供することである。
【課題を解決するための手段】
【０００８】
この発明のある局面に従う抽出用バッグは、被抽出材料を収容する透水性の袋本体と、袋本体の外表面に貼り付けられた引っ掛け部材とを備える抽出用バッグであって、引っ掛け部材は、飲料容器に引っ掛けられるものであり、袋本体の外表面に貼り付けられた貼り付け部と、袋本体に貼り付けられておらず、貼り付け部から連続して立ち上がり可能に形成された掛止部とを含み、引っ掛け部材の外表面は、文字・図柄模様が施された表示部材により覆われている。
【０００９】
好ましくは、表示部材は、引っ掛け部材の下端部から下方に向かって延出しており、引っ掛け部材と表示部材の境界部には、表示部材を引っ掛け部材に向かって折り曲げ可能な折り曲げ部が形成されている。
【００１０】
好ましくは、引っ掛け部材の上方位置には、切込み部が設けられ、表示部材の下方位置には、下方に向かって突出する突出部が設けられ、突出部は、表示部材を折り曲げ部で折り曲げた状態において、切込み部に差し込まれる。
【００１１】
好ましくは、引っ掛け部材の外縁に沿って袋本体の外表面に貼り付けられる補助部材をさらに備え、補助部材は、袋本体の上辺に沿う上辺部を含み、上辺部は、文字・図柄模様を付すことが可能な幅を有する。
【発明の効果】
【００１２】
本発明によれば、使い勝手を変えずに、種々の模様などを付すことが可能な抽出用バッグを提供することである。
【図面の簡単な説明】
【００１３】
【図１】本発明の実施の形態１に係る抽出用バッグを示す正面図である。
【図２】本発明の実施の形態１に係る抽出用バッグを示す正面図である。
【図３】本発明の実施の形態１に係る抽出用バッグの使用状態を示す斜視図である。
【図４】本発明の実施の形態２に係る抽出用バッグを示す正面図である。
【発明を実施するための形態】
【００１４】
本発明の実施の形態について図面を参照しながら詳細に説明する。なお、図中同一または相当部分には同一符号を付してその説明は繰返さない。
【００１５】
（実施の形態１）
はじめに、図１〜図３を参照して、本実施の形態に係る抽出用バッグ１について説明する。図１は、表示部材３０を折り曲げていない状態の抽出用バッグ１の正面図であり、図２は、表示部材３０を折り曲げ部３４で折り曲げた状態の抽出用バッグ１の正面図である。以下の説明において、矢印Ａ１は上下方向を示しており、矢印Ａ２の横方向は左右方向を示している。
【００１６】
抽出用バッグ１は、飲料容器の上方に置いてお湯などを注ぐことで、たとえば、コーヒー、お茶類等の飲料をドリップ式で入れることができるものである。抽出用バッグ１は、袋本体１０と、袋本体１０の外表面に貼り付けられた一対の引っ掛け部材２０とを備える。
【００１７】
袋本体１０は、コーヒー、茶葉などの被抽出材料を収容する。袋本体１０としては、透水性シートが用いられ、たとえば、ポリプロピレンなどの合成繊維、紙類などを使用することができる。袋本体１０は、たとえば、上辺部が円弧状であり、底辺部が横方向に向かって延びており、両側辺部が底部に向かって先細りしている。袋本体１０は、たとえば、底辺部を折り目として重ね合わされた表面と裏面とを含む。袋本体１０の両側部は加熱融着されており、袋本体１０の上部は開放されている。
【００１８】
図３に示すように、引っ掛け部材２０は、飲料容器５０の縁に引っ掛けられるものである。引っ掛け部材２０は、たとえば、紙、プラスチックなどの薄板材料により形成される。図１に示すように、引っ掛け部材２０は、袋本体１０の外表面に貼り付けられた貼り付け部２１と、袋本体１０に貼り付けられておらず、貼り付け部２１から連続して立ち上がり可能に形成された掛止部２２とを含む。貼り付け部２１と掛止部２２との間には、貼り付け部２１および掛止部２２と連続する連続部２３が設けられていてもよい。連続部２３は、袋本体１０に貼り付けられていないため、掛止部２２とともに立ち上がり可能である。
【００１９】
具体的には、引っ掛け部材２０は、矩形形状であり、角部が面取りされている。掛止部２２と連続部２３とは、引っ掛け部材２０の両側辺及び下辺に沿った切込み線２２ａで区切られている。連続部２３と貼り付け部２１とは、第１切込み線２１ａで区切られている。これにより、貼り付け部２１、連続部２３、および、掛止部２２は、連続して設けられる。
【００２０】
引っ掛け部材２０の外縁には、袋本体１０の外表面に貼り付けられる補助部材４０が設けられている。補助部材４０は、袋本体１０の上辺に沿う上辺部４１と、引っ掛け部材２０の両側辺に沿う一対の側辺部４２とを含む。上辺部４１は、袋本体１０の円弧状の上辺に沿って延在している。上辺部４１は、文字・図柄模様を付すことが可能な幅を有する。上辺部４１の略中心位置には、上方に突出する半円形形状の凸部４３が設けられていてもよい。側辺部４２は、引っ掛け部材２０の側辺に沿って延在している。
【００２１】
図１に示すように、本実施の形態の表示部材３０は、引っ掛け部材２０の下端部から下方に向かって延出している。つまり、引っ掛け部材２０と表示部材３０とは、一体的に設けられている。引っ掛け部材２０と表示部材３０の境界部には、折り曲げ部３４が形成されている。
【００２２】
引っ掛け部材２０の上方位置には、切込み部２４が設けられ、表示部材３０の下方位置には、下方に向かって突出する突出部３２が設けられる。突出部３２は、表示部材３０を折り曲げ部３４で折り曲げた状態において、切込み部２４に差し込まれる。これにより、表示部材３０は、図２に示すように、折り曲げ部３４により引っ掛け部材２０に向かって折り曲げることが可能である。
【００２３】
表示部材３０は、略矩形形状である。表示部材３０の横幅寸法は、引っ掛け部材２０の横幅寸法と略同一である。表示部材３０の縦幅寸法は、引っ掛け部材２０の縦幅寸法よりも略小さい。これにより、表示部材３０を折り曲げ部３４により引っ掛け部材２０に向かって折り曲げることで、表示部材３０は、引っ掛け部材２０の略全面を覆う形状となる。
【００２４】
図１を参照して、文字・図柄模様３３は、表示部材３０の裏面に施されている。文字・図柄模様とは、たとえば、文字（漢字、数字、アルファベットなど）、図形、記号、自然物（動植物、風景、人物など）、または、人工物（車、建物など）の図柄などの模様を意味する。文字・図柄模様として、文字および図柄が描かれていてもよいし、文字または図柄だけが描かれていてもよい。図１〜４において、文字・図柄模様３３として、ひまわりの模様を例示的に付しているが、これらに限定されることはない。
【００２５】
文字・図柄模様３３は、表示部材３０の裏面に施されているため、表示部材３０を折り曲げ部３４で折り曲げて、突出部３２を切込み部２４に差し込むことで、図２に示すように、文字・図柄模様３３を目立つ位置に配置することができる。
【００２６】
次に、図３を参照して、抽出用バッグ１の使用方法を説明する。
【００２７】
まず、引っ掛け部材２０の掛止部２２を引き起こして、掛止部２２に飲料容器５０の縁に引っ掛けて、抽出用バッグ１を飲料容器５０上にセットする。これにより、図３に示すように、袋本体１０の表面と裏面は引っ張られ、袋本体１０の開口が大きく広げられた状態で飲料容器５０上に吊らされる状態となる。次に、袋本体１０内に被抽出材料を適量入れ、上方から熱湯などを注ぎ込む。飲料が抽出されたら、凸部４３を掴んで、飲料容器５０から取り外す。
【００２８】
このような構成により、引っ掛け部材２０が表示部材３０により覆われている状態で、簡単に掛止部２２を飲料容器５０上に引っ掛けることができ、最も目立つ部分に表示部材３０を設けることができる。また、補助部材４０の上辺部４１に、表示部材３０の文字・図柄模様３３と関連した文字・図柄模様を付すことで、抽出用バッグ１の使用者にインパクトを与えることができる。さらに、表示部材３０は、掛止部２２と共に飲料容器５０の縁に引っ掛けられるため、表示部材３０が抽出液に浸かることがない。これにより、従来の抽出用バッグと使い勝手を変えることなく、抽出用バッグ１に種々の模様等を付すことができ、付加価値を与えることができる。
【００２９】
（実施の形態２）
図４を参照して、本実施の形態に係る抽出用バッグ１Ａについて説明する。図４に示すように、実施の形態２における抽出用バッグ１Ａは、基本的には、図１〜３に示す実施の形態１の抽出用バッグ１と同様の構成を備えているが、袋本体１０Ａおよび補助部材４０Ａにおいて異なる。
【００３０】
具体的には、袋本体１０Ａは、正面視において略矩形形状である。袋本体１０Ａは、底辺部を折り目として重ね合わされた表面と裏面とを含む。袋本体１０Ａの両側辺部は、加熱融着されており、袋本体１０Ａの上辺部は、開放されている。
【００３１】
補助部材４０Ａは、引っ掛け部材２０の上辺に沿う上辺部４１Ａと、引っ掛け部材２０の両側辺に沿う一対の側辺部４２Ａとを含む。本実施の形態の上辺部４１Ａは、袋本体１０Ａの上辺に沿うように設けられていなくてもよい。
【００３２】
なお、本実施の形態１，２において、表示部材３０は、引っ掛け部材２０の下端部から延出しているとして説明した。しかし、表示部材３０は、引っ掛け部材２０と別部材であってもよい。その場合、表示部材３０は、引っ掛け部材２０の掛止部２２上に粘着シールなどで接着されていればよい。
【００３３】
また、本実施の形態１，２において、表示部材３０は、引っ掛け部材２０の略全面を覆うとして説明したが、引っ掛け部材２０の一部を覆う部材であってもよい。また、表示部材３０は、引っ掛け部材２０の形状と同じでなくてもよく、たとえば、平面視において、円形形状であってもよい。
【００３４】
また、本実施の形態１，２において、引っ掛け部材２０は、袋本体１０の外表面に一対貼り付けられているが、少なくともいずれか一方の引っ掛け部材２０の外表面が表示部材３０により覆われていればよい。
【００３５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００３６】
１，１Ａ  抽出用バッグ、１０，１０Ａ  袋本体、２０  引っ掛け部材、２１  貼り付け部、２２  掛止部、２２ａ，２２ｂ  切込み線、２３  連続部、２４  切込み部、３０  表示部材、３２  突出部、３３  文字・図柄模様、３４  折り曲げ部、４０，４０Ａ  補助部材、４１，４１Ａ  上辺部、４２，４２Ａ  側辺部、４３  凸部、５０  飲料容器。
【図１】
2019069098.tif 000003
【図２】
2019069098.tif 000004
【図３】
2019069098.tif 000005
【図４】
2019069098.tif 000006
【手続補正書】
【提出日】平成30年10月9日(2018.10.9)
【手続補正１】
【補正対象書類名】特許請求の範囲
【補正対象項目名】全文
【補正方法】変更
【補正の内容】
【特許請求の範囲】
【請求項１】
被抽出材料を収容する透水性の袋本体と、前記袋本体の外表面に貼り付けられた引っ掛け部材とを備える抽出用バッグであって、
前記引っ掛け部材は、飲料容器に引っ掛けられるものであり、前記袋本体の外表面に貼り付けられた貼り付け部と、前記袋本体に貼り付けられておらず、前記貼り付け部から連続して立ち上がり可能に形成された掛止部とを含み、
前記引っ掛け部材の外表面は、文字・図柄模様が施された表示部材により覆われており、
前記表示部材は、前記引っ掛け部材の下端部から下方に向かって延出しており、
前記引っ掛け部材と前記表示部材の境界部には、前記表示部材を前記引っ掛け部材に向かって折り曲げ可能な折り曲げ部が形成されている、抽出用バッグ。
【請求項２】
前記引っ掛け部材の上方位置には、切込み部が設けられ、
前記表示部材の下方位置には、下方に向かって突出する突出部が設けられ、
前記突出部は、前記表示部材を前記折り曲げ部で折り曲げた状態において、前記切込み部に差し込まれる、請求項１に記載の抽出用バッグ。
【請求項３】
前記引っ掛け部材の外縁に沿って前記袋本体の外表面に貼り付けられる補助部材をさらに備え、
前記補助部材は、前記袋本体の上辺に沿う上辺部を含み、
前記上辺部は、文字・図柄模様を付すことが可能な幅を有する、請求項１または２に記載の抽出用バッグ。